(57)【要約】【課題】タンクと導水管とを安定的に接続でき、かつ、タンクと導水管との接続の施工性を向上させられる導水管、及びタンクと導水管との接続構造を提供すること。【解決手段】上面が開口したタンク本体２１と、タンク本体２１の上面に配置される蓋部２２と、蓋部２２の上面に形成され前記タンク本体２１の内部に水を導入する導入口２３と、蓋部２２の上面における導入口２３の周囲から立ち上がる立ち上がり部２４と、を備えるタンク２０に接続され、タンク２０に水を導入する導水管４０であって、下流側端部に配置され立ち上がり部２４の外側に嵌められるタンク接続部４３と、タンク接続部４３の上流側に配置されタンク接続部４３よりも小径の縮径部４４と、縮径部の上流側に配置され縮径部４４よりも大径の管本体部４１と、を備える。【選択図】図７
2015190272.tif 000002
【特許請求の範囲】
【請求項１】
上面が開口したタンク本体と、前記タンク本体の上面に配置される蓋部と、前記蓋部の上面に形成され前記タンク本体の内部に水を導入する導入口と、前記蓋部の上面における前記導入口の周囲から立ち上がる立ち上がり部と、を備えるタンクに接続され、該タンクに水を導入する導水管であって、
下流側端部に配置され前記立ち上がり部の外側に嵌められるタンク接続部と、該タンク接続部の上流側に配置され前記タンク接続部よりも小径の縮径部と、前記縮径部の上流側に配置され該縮径部よりも大径の管本体部と、を備える導水管。
【請求項２】
管状部材を締付可能な締付部を備え、前記縮径部に取り付けられる締付部材を更に備える請求項１に記載の導水管。
【請求項３】
前記タンク接続部の外径は、前記締付部の最小内径よりも大きい請求項２に記載の導水管。
【請求項４】
前記タンク接続部の外径は、前記締付部の最大内径よりも小さい請求項２又は３に記載の導水管。
【請求項５】
前記縮径部の外径は、前記締付部の最小内径よりも小さい請求項２〜４のいずれかに記載の導水管。
【請求項６】
前記タンク接続部の先端部に配置され外側に延出するリブ部を更に備える請求項１〜５のいずれかに記載の導水管。
【請求項７】
前記管本体部は、伸縮及び屈曲可能な蛇腹構造部を有する請求項１〜６のいずれかに記載の導水管。
【請求項８】
上面が開口したタンク本体及び前記タンク本体の上面に配置される蓋部を有するタンクと、前記蓋部に接続され前記タンクに水を導入する導水管と、を接続する接続構造であって、
前記蓋部は、
蓋本体と、
前記蓋本体の上面に形成される導入口と、
前記蓋本体の上面における前記導入口の周囲から立ち上がる立ち上がり部と、を備え、
前記導水管は、
下流側端部に配置され前記立ち上がり部の外側に嵌められるタンク接続部と、
前記タンク接続部の上流側に配置され前記タンク接続部よりも小径の縮径部と、
前記縮径部の上流側に配置され該縮径部よりも大径の管本体部と、を備える接続構造。
【発明の詳細な説明】
【技術分野】
【０００１】
本発明は、導水管、及びタンクと導水管との接続構造に関する。
【背景技術】
【０００２】
従来、便器と、この便器に供給する洗浄水を貯留するタンクと、手洗い器と、を備える便器装置では、手洗い器は、タンクの上方に配置されている。そして、このような便器装置では、手洗い器の排水は下方に落下して排出され、タンクに導入される（例えば、特許文献１参照）。特許文献１で提案された便器装置では、手洗い器の排水部を下方に突出させると共に、タンクの上面を構成する蓋部材に形成した開口にこの突出させた排水部を差し込むことで、排水をタンクに導入している。
【先行技術文献】
【特許文献】
【０００３】
【特許文献１】特開２０１２−１９７６６５号公報
【発明の概要】
【発明が解決しようとする課題】
【０００４】
ところで、近年、手洗い器をタンクの上方かつ側方に配置した便器装置が提案されている。このような便器装置の場合、手洗器とタンクとを排水管により接続し手洗い器の排水をタンクに導くことが必要となる。ここで、排水管とタンクとは、排水管の内部を流れる排水の勢い等により排水管がタンクから外れないように安定的に接続されることが求められる。
一方、便器装置を設置する場合には、排水管とタンクとを煩雑な工程を経ることなく接続できることが望まれる。
【０００５】
従って、本発明は、タンクとこのタンクに水を導入する導水管とを安定的に接続でき、かつ、タンクと導水管との接続の施工性を向上させられる導水管、及びタンクと導水管との接続構造を提供することを目的とする。
【課題を解決するための手段】
【０００６】
本発明は、上面が開口したタンク本体（例えば、後述するタンク本体２１）と、前記タンク本体の上面に配置される蓋部（例えば、後述する蓋部２２）と、前記蓋部の上面に形成され前記タンク本体の内部に水を導入する導入口（例えば、後述の導入口２２２）と、前記蓋部の上面における前記導入口の周囲から立ち上がる立ち上がり部（例えば、後述の立ち上がり部２２３）と、を備えるタンク（例えば、後述のタンク２０）に接続され、該タンクに水を導入する導水管（例えば、後述の排水管４０）であって、下流側端部に配置され前記立ち上がり部の外側に嵌められるタンク接続部（例えば、後述のタンク接続部４３）と、該タンク接続部の上流側に配置され前記タンク接続部よりも小径の縮径部（例えば、後述の縮径部４４）と、前記縮径部の上流側に配置され該縮径部よりも大径の管本体部（例えば、後述の管本体部４１）と、を備える導水管に関する。
【０００７】
また、導水管は、管状部材を締付可能な締付部（例えば、後述の締付部４６１）を備え、前記縮径部に取り付けられる締付部材（例えば、後述のピンバンド４６）を更に備えることが好ましい。
【０００８】
また、前記タンク接続部の外径は、前記締付部の最小内径よりも大きいことが好ましい。
【０００９】
また、前記タンク接続部の外径は、前記締付部の最大内径よりも小さいことが好ましい。
【００１０】
また、前記縮径部の外径は、前記締付部の最小内径よりも小さいことが好ましい。
【００１１】
また、導水管は、前記タンク接続部の先端部に配置され外側に延出するリブ部（例えば、後述のリブ部４５）を更に備えることが好ましい。
【００１２】
また、前記管本体部は、伸縮及び屈曲可能な蛇腹構造部を有することが好ましい。
【００１３】
また、本発明は、上面が開口したタンク本体（例えば、後述のタンク本体２１）及び前記タンク本体の上面に配置される蓋部（例えば、後述の蓋部２２）を有するタンク（例えば、後述のタンク２０）と、前記蓋部に接続され前記タンクに水を導入する導水管（例えば、後述の排水管４０）と、を接続する接続構造であって、前記蓋部は、蓋本体（例えば、後述の蓋本体２２１）と、前記蓋本体の上面に形成される導入口（例えば、後述の導入口２２２）と、前記蓋本体の上面における前記導入口の周囲から立ち上がる立ち上がり部（例えば、後述の立ち上がり部２２３）と、を備え、前記導水管は、下流側端部に配置され前記立ち上がり部の外側に嵌められるタンク接続部（例えば、後述のタンク接続部４３）と、前記タンク接続部の上流側に配置され前記タンク接続部よりも小径の縮径部（例えば、後述の縮径部４４）と、前記縮径部の上流側に配置され該縮径部よりも大径の管本体部（例えば、後述の管本体部４１）と、を備える接続構造に関する。
【発明の効果】
【００１４】
本発明によれば、縮径部にタンク接続部を締付可能なバンド部材等を取り付けておくことで、タンク接続部を立ち上がり部の外側に嵌めた後、縮径部に取り付けておいたバンド部材によりタンク接続部を容易に締め付けられる。よって、タンク２０と排水管４０との接続の施工性を向上させられる。
【図面の簡単な説明】
【００１５】
【図１】本発明の導水管を備える収納部付き便器装置を示す斜視図である。
【図２】収納部付き便器装置の分解斜視図である。
【図３】蓋部を示す斜視図である。
【図４】蓋部を示す平面図である。
【図５】導水管を示す斜視図である。
【図６】導水管を示す正面図である。
【図７】導水管とタンクとの接続の手順を示す図であり、導水管をタンクに接続する前の状態を示す図である。
【図８】導水管とタンクとの接続の手順を示す図であり、タンク接続部を立ち上がり部に嵌めた状態を示す図である。
【図９】導水管とタンクとの接続の手順を示す図であり、縮径部に取り付けてあったピンバンドをタンク接続部に移動させた状態を示す図である。
【発明を実施するための形態】
【００１６】
以下、本発明の導水管及び導水管とタンクとの接続構造の好ましい一実施形態について、図面を参照しながら説明する。
まず、本発明の一実施形態に係る導水管を備える収納部付き便器装置１００の全体構成について、図１及び図２を参照しながら説明する。
【００１７】
本実施形態の収納部付き便器装置１００は、図１及び図２に示すように、便器１０と、タンク２０と、手洗い器３０と、導水管としての排水管４０と、収納部５０と、排水管４０を支持する排水管トレー６０と、を備える。
便器１０は、便器本体１１と、この便器本体１１の上部に便器本体１１に対して開閉可能に取り付けられる便座（図示せず）及び便蓋１２と、を含んで構成される。
【００１８】
タンク２０は、便器１０の後方かつ上方に配置され、便器本体１１を洗浄する洗浄水を貯留する。このタンク２０は、図２に示すように、タンク本体２１と、蓋部２２と、を備える。
タンク本体２１は、上面が開口した箱状に形成され、洗浄水を貯留する。
【００１９】
蓋部２２は、タンク本体２１の上面に配置され、タンク本体２１の上面を覆う。この蓋部２２は、図３及び図４に示すように、蓋本体２２１と、導入口２２２と、立ち上がり部２２３と、切り欠き部２２４と、複数の排水開口２２５と、複数の突起部２２６と、下側筒状部２２７と、下側切り欠き部２２８と、一対の下側壁部２２９と、排水受け部２３０と、導出口２３１と、周壁部２３２と、を備える。
【００２０】
蓋本体２２１は、板状に形成されタンク本体２１の開口を覆う。蓋本体２２１の上面は、略中央部に配置される平面部２２１ａと、この平面部２２１ａに向かって緩やかに下り傾斜した複数の傾斜面部２２１ｂと、を有している。
導入口２２２は、平面部２２１ａに形成される。本実施形態では、導入口２２２は、円形に形成される。
立ち上がり部２２３は、蓋本体２２１の上面における導入口２２２の周囲から筒状に立ち上がって形成される。
【００２１】
切り欠き部２２４は、立ち上がり部２２３の一部が上下方向に切り欠かれて形成される。本実施形態では、切り欠き部２２４は、立ち上がり部２２３の前面側に、立ち上がり部２２３の全長に亘って形成される。切り欠き部２２４の幅Ｗ１は、立ち上がり部２２３の直径（内径）Ｗ２よりも小さく形成される。言い換えれば、導入口２２２の外周のうちの切り欠き部２２４が形成された部分の長さは、切り欠き部２２４が形成されていない部分の長さよりも短く形成されていると言える。
【００２２】
複数の排水開口２２５は、蓋本体２２１における立ち上がり部２２３の根元部分近傍に形成される。本実施形態では、排水開口２２５は、４つ形成される。４つの排水開口２２５のうち、立ち上がり部２２３の前面側に配置される排水開口２２５ａは、切り欠き部２２４に連続するように、かつ、蓋本体２２１の前縁部まで延びて形成される。この前面側に配置された排水開口２２５ａを除く３つの排水開口２２５ｂは、蓋本体２２１を貫通する貫通穴として形成される。
複数の排水開口２２５は、排水管４０からの排水が蓋部２２の上面側に漏れた場合に、この漏れた水をタンク本体２１に排出する。
【００２３】
複数の突起部２２６は、上面視にて立ち上がり部２２３の外面における排水開口２２５に重なる位置に形成され、立ち上がり部２２３の周方向に延びる。本実施形態では、突起部２２６は、３つの排水開口２２５ｂに対応する位置に、３つ配置される。この突起部２２６は、後述するように排水管４０を立ち上がり部２２３に接続した場合における抜け止め機構として機能する。
【００２４】
下側筒状部２２７は、蓋本体２２１の下面における導入口２２２の周囲から下方に筒状に突出して形成される。即ち、図３に示すように、立ち上がり部２２３及び下側筒状部２２７は、蓋本体２２１を貫通するように上下方向に延びる。
下側切り欠き部２２８は、下側筒状部２２７の一部が切り欠かれるようにして形成される。本実施形態では、下側切り欠き部２２８は、切り欠き部２２４から連続して下方に延びて形成される。
【００２５】
下側壁部２２９は、排水開口２２５ａの一対の側縁から下方に延出して形成される。
排水受け部２３０は、下側筒状部２２７及び排水開口２２５ａの下方に配置される。この排水受け部２３０は、前面側に下り傾斜となるように構成される。本実施形態では、排水受け部２３０は、下側筒状部２２７及び一対の下側壁部２２９の下端部に連続して形成される。即ち、蓋本体２２１の下面側には、下側筒状部２２７、一対の下側壁部２２９及び排水受け部２３０で囲まれた排水の流路が形成される。一対の下側壁部２２９及び排水受け部２３０で囲まれた流路の先端（前面側）は、前面側に開口している。
【００２６】
導出口２３１は、蓋本体２２１における導入口２２２よりも背面側に形成される。この導出口２３１には、後述の手洗い側給水配管３４が挿通される（図２参照）。
周壁部２３２は、蓋本体２２１の周縁の近傍に設けられ、蓋本体２２１の上面から起立する。周壁部２３２は、蓋本体２２１の全周に亘って設けられる。
【００２７】
以上の蓋部２２は、例えば、蓋部２２の上面側の形状に対応した形状の上金型と蓋部２２の下面側の形状に対応した形状の下金型とを用いて、樹脂部材を一体成形することで形成される。
【００２８】
手洗い器３０は、図１及び図２に示すように、タンク２０の側方かつ上方に配置される。この手洗い器３０は、手洗い鉢３１と、手洗い吐水管３２と、を備える。
手洗い鉢３１は、手洗い吐水管３２から吐出される手洗い水を受ける。この手洗い鉢３１の底部には、排水口３１１が形成されている。手洗い吐水管３２は、手洗い鉢３１から起立するように配置される。この手洗い吐水管３２の先端部は、下方に開口している。
手洗い吐水管３２の基端部は、手洗い側給水配管３３，３４を介してタンク２０に洗浄水を供給する給水部（図示せず）に接続される。
【００２９】
以上の手洗い器３０には、タンク２０に供給される洗浄水の一部が、手洗い側給水配管３３，３４を介して手洗い吐水管３２に供給される。これにより、給水部の動作によりタンク２０に洗浄水が貯留される場合に、この貯留される洗浄水の一部が手洗い吐水管３２から吐出される。
【００３０】
排水管４０は、タンク２０と手洗い器３０とを接続し、手洗い器３０から排出される排水をタンク２０に導く。排水管４０は、図５及び図６に示すように、管本体部４１と、手洗い器接続部４２と、タンク接続部４３と、縮径部４４と、リブ部４５と、締付部材としてのピンバンド４６と、を備える。
管本体部４１は、山折り部及び谷折り部が繰り返されて形成された蛇腹構造部を有して構成される。これにより、管本体部４１は、屈曲及び伸縮自在に構成される。
【００３１】
手洗い器接続部４２は、排水管４０の上流側の端部を構成し、手洗い鉢３１の排水口３１１に接続される。本実施形態では、手洗い器接続部４２は、屈曲した筒状の屈曲部４２１と、この屈曲部４２１の先端側に配置され屈曲部４２１よりも太径の手洗い器側連結部４２２と、を備える。
【００３２】
タンク接続部４３は、排水管４０の下流側の端部を構成し、タンク２０の蓋部２２に接続される。このタンク接続部４３は、蓋部２２の立ち上がり部２２３の外径よりも若干大きな内径を有する筒状に形成される。また、タンク接続部４３の高さＨ１は、立ち上がり部２２３の高さよりも高く構成される。
【００３３】
縮径部４４は、タンク接続部４３の上流側かつ管本体部４１の下流側、即ちタンク接続部４３と管本体部４１との間に配置される。縮径部４４は、管本体部４１よりも小径の筒状に形成される。本実施形態では、縮径部４４の径は、管本体部４１の谷折り部における径と略同径に構成される。
縮径部４４の高さＨ２は、ピンバンド４６の取付性を高める観点から、５ｍｍ〜１０ｍｍ程度であることが好ましい。
【００３４】
リブ部４５は、タンク接続部４３の先端部に配置されタンク接続部４３の径方向の外側に延出する。
ピンバンド４６は、例えば、一本の針金を湾曲及び屈曲させて形成される。このピンバンド４６は、環状の締付部４６１と、この締付部４６１を開閉させる一対のつまみ部４６２と、を備える。
締付部４６１は、一対のつまみ部４６２を操作することで、拡径及び縮径可能に構成される。即ち、締付部４６１の内径は、外力を加えない通常状態における内径（最小内径）と、一対のつまみ部４６２を摘んで締付部４６１を開いた状態における内径（最大内径）と、の間で拡径及び縮径可能に構成される。
【００３５】
本実施形態では、ピンバンド４６は、縮径部４４に取り付けられる。ピンバンド４６の締付部４６１の通常時の内径（最小内径）は、縮径部４４の外径よりも大きく、かつ、タンク接続部４３の外径よりも小さく構成される。また、ピンバンド４６の締付部４６１を最大に拡径させた場合の内径（最大内径）は、タンク接続部４３の外径よりも大きくなるよう構成される。言い換えれば、縮径部４４の外径は、締付部４６１の最小内径よりも小さく構成される。また、タンク接続部４３の外径は、締付部４６１の最小内径よりも大きく、かつ、最大内径よりも小さく構成される。
【００３６】
以上の排水管４０は、ピンバンド４６を除いた部分が、例えば、ポリプロピレン等の合成樹脂を一体成型することで形成される。これにより、排水管４０は、管本体部４１において柔軟性を有し、手洗い器接続部４２、タンク接続部４３及び縮径部４４においては柔軟性を有さないように構成される。ここで、柔軟性を有さないとは、人の指で押した程度では容易に変形しない硬さを有することをいう。即ち、本実施形態の排水管４０における手洗い器接続部４２、タンク接続部４３及び縮径部４４は、いわゆるビニールホースのような径方向に伸縮性を有する部材ではなく、径方向に伸縮性を有さない部材により構成される。
排水管４０は、手洗い器接続部４２（手洗い器側連結部４２２）を手洗い鉢３１の排水口３１１に接続し、タンク接続部４３を立ち上がり部２２３に嵌めることで、手洗い器３０及びタンク２０に接続される。
【００３７】
ここで、排水管４０とタンク２０との接続の手順につき、図７〜図９を参照しながら説明する。
排水管４０をタンク２０に接続する場合、まず、図７に示すように、ピンバンド４６を縮径部４４に取り付けておく。また、管本体部４１を水平にした状態でタンク接続部４３が下向きになるように管本体部４１の先端側を屈曲させる。この状態で、図８に示すように、タンク接続部４３を立ち上がり部２２３の外側に嵌める。ここで、立ち上がり部２２３には、切り欠き部２２４が形成されているので、タンク接続部４３を立ち上がり部２２３に嵌める場合に、立ち上がり部２２３を縮径する方向に撓ませられる。これにより、タンク接続部４３が柔軟性を有していなくても、タンク接続部４３と立ち上がり部２２３との接続を容易に行える。また、立ち上がり部２２３の外面には、複数の突起部２２６が配置されているので、立ち上がり部２２３に嵌めたタンク接続部４３を抜けにくくできる。
【００３８】
次いで、図９に示すように、ピンバンド４６の一対のつまみ部４６２を摘んで締付部４６１を拡径させ、タンク接続部４３側に移動させた後、つまみ部４６２を離す。これにより、ピンバンド４６によって立ち上がり部２２３の外側に嵌めたタンク接続部４３を締め付けた状態で、排水管４０をタンク２０に接続できる。ここで、タンク接続部４３の先端部にはリブ部４５が配置されているので、ピンバンド４６をタンク接続部４３側に移動させるときに、ピンバンド４６がタンク接続部４３を通り過ぎて立ち上がり部２２３のみを締め付けてしまうことを防げる。
【００３９】
次に、収納部５０について説明する。
収納部５０は、便器１０の後方に配置され、タンク２０及び排水管４０を収納する。また、この収納部５０の上部には手洗い器３０が設けられる。収納部５０は、例えば、収納部付き便器装置１００を設置するトイレルームの一の壁面に沿うように配置される。
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、備える。
【００４０】
収納部本体５１は、前板５１１と、一対の扉板５１２Ｌ，５１２Ｒと、天板５１３と、を含んで構成される。前板５１１は、タンク２０の前面側に配置されタンク２０の前面を覆う。前板５１１の幅は、便器本体１０の幅よりも若干広く形成される。
一対の扉板５１２Ｌ，５１２Ｒは、前板５１１の両側部にそれぞれ、前板５１１に沿って配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００４１】
天板５１３は、収納部５０の上面を構成する。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。
【００４２】
一対の仕切り板５２Ｌ，５２Ｒは、前板５１１の幅方向のそれぞれの端部に、前板５１１に直交して配置される。即ち、一対の仕切り板５２Ｌ，５２Ｒは、タンク２０を幅方向に挟むように配置され、収納部本体５１の内部を幅方向に区画する。
仕切り板５２Ｌ，５２Ｒの上端部は、タンク２０の上端部よりも高い位置に位置する。また、仕切り板５２Ｌ，Ｒの上端部には、排水側切り欠き部５２２と、給水側切り欠き部５２３と、が形成される。
【００４３】
排水側切り欠き部５２２には、後述の排水管トレー６０を介して排水管４０が配置される。給水側切り欠き部５２３には、手洗い側給水配管３３が配置される。
排水側切り欠き部５２２の深さは、排水管４０の直径よりも深く形成される。給水側切り欠き部５２３の深さは、手洗い側給水配管３３の直径よりも深く形成される。
【００４４】
一対の仕切り板５２Ｌ，Ｒの前面には、ビス５２１を介して前板５１１が固定される。また、一対の仕切り板５２Ｌ，Ｒの上面には、天板５１３が固定される。
尚、仕切り板５２Ｌ，５２Ｒには、タンク２０に洗浄水を供給する給水管（図示せず）や、上述のフロート弁を操作するための部材（図示せず）等を通すための貫通穴が形成される。
【００４５】
背板５３は、タンク２０の後面側における上方に配置される。背板５３は、一対の仕切り板５２Ｌ，５２Ｒの上部をつなぐ。
【００４６】
以上の収納部５０によれば、収納部本体５１の幅方向の中央部にタンク２０が収納（配置）される。また、手洗い器３０は、収納部本体５１の左側部の上部に配置される。また、収納部本体５１の内部における一対の仕切り板５２Ｌ，５２Ｒの幅方向の外側には、それぞれ、物品を収納可能な物品収納空間が形成される。そして、扉板５１２Ｌ，５１２Ｒを開閉させることで、この物品収納空間に物品を出し入れできる。
尚、収納部５０の側面は、トイレルームの壁面を利用することで、収納部５０の側面を構成する板材を含むことなく収納部本体５１を構成できる。
【００４７】
排水管トレー６０は、図２に示すように、仕切り板５２Ｌに取り付けられ、排水管４０を支持する。この排水管トレー６０は、排水管支持部６１と、差込部６２と、リブ部６３と、を備える。
排水管支持部６１は、筒状に構成されると共に、この筒状の周面に形成され長手方向に延びる開口部６１１を有して構成される。開口部６１１は、排水管支持部６１を水平方向に向けた場合における上面に形成され、排水管支持部６１の長手方向の全長に亘って延びる。開口部６１１の幅は、排水管支持部６１に差し込まれる排水管４０の直径よりも小さく形成される。
【００４８】
差込部６２は、排水管支持部６１の長手方向の中央部における開口部６１１が形成された側と反対側（下面側）に配置される。差込部６２は、仕切り板５２Ｌに形成された排水側切り欠き部５２２に差し込まれ、これにより、排水管トレー６０が仕切り板５２Ｌに固定される。
【００４９】
リブ部６３は、排水管支持部６１における長手方向の一端部に配置される。このリブ部６３は、排水管支持部６１の端部から下方に向かって延出する。
【００５０】
以上の排水管トレー６０は、図２に示すように、差込部６２を排水側切り欠き部５２２に差し込んだ場合に、リブ部６３がタンク２０側に位置し、かつ、排水管支持部６１が手洗い器３０側からタンク２０側に向かって下り傾斜となるように仕切り板５２Ｌに固定される。これにより、排水管トレー６０を仕切り板５２Ｌに固定した状態で、排水管支持部６１を手洗い器３０側からタンク２０側に向かって下り傾斜させられる。
【００５１】
以上の収納部付き便器装置１００によれば、手洗い器３０とタンク２０とを接続する排水管４０を、略水平方向に延びる部分（管本体部４１）が排水管トレー６０（排水管支持部６１）に支持された状態で、安定的に配置できる。また、排水管支持部６１が手洗い器３０側からタンク２０側に向かって下り傾斜しているので、手洗い器３０から排出される排水を、逆流させることなくタンク２０に導入できる。
【００５２】
また、排水管４０を、タンク２０側に設けられた立ち上がり部２２３の外側に嵌められるタンク接続部４３と、このタンク接続部４３の上流側に配置される縮径部４４と、この縮径部４４の上流側に配置される管本体部４１と、を含んで構成した。これにより、例えば、縮径部４４にタンク接続部４３を締付可能なバンド部材等を取り付けておくことで、タンク接続部４３を立ち上がり部２２３の外側に嵌めた後、縮径部４４に取り付けておいたバンド部材によりタンク接続部４３を容易に締め付けられる。よって、タンク２０と排水管４０との接続の施工性を向上させられる。
【００５３】
また、排水管４０を、締付部４６１を有し縮径部４４に取り付けられるバンドとしてのピンバンド４６を含んで構成した。これにより、縮径部４４に取り付けたピンバンド４６を操作してタンク接続部４３を容易に締め付けられる。よって、タンク２０と排水管４０との接続の施工性をより向上させられる。
【００５４】
また、バンドをピンバンド４６により構成した。これにより、排水管４０のタンク接続部４３をタンク２０の立ち上がり部２２３の外側に嵌めた後、つまみ部４６２を操作してピンバンド４６をタンク接続部４３側に移動させることで、立ち上がり部２２３の外側に嵌められたタンク接続部４３を容易に締め付けられる。よって、タンク２０と排水管との接続の施工性を更に向上させられる。
【００５５】
また、タンク接続部４３の外径を、締付部４６１の最小内径よりも大きく構成した。これにより、縮径部４４にピンバンド４６を取り付けた状態において、このピンバンド４６がタンク接続部４３側に移動することを防げる。よって、立ち上がり部２２３にタンク接続部４３を嵌めるときに、縮径部４４に取り付けたピンバンド４６がタンク接続部４３側に移動しないので、ピンバンド４６を取り付けていてもタンク２０と排水管４０との接続の施工性を低下させない。
【００５６】
また、タンク接続部４３の外径を、締付部４６１の最大内径よりも小さく構成した。これにより、立ち上がり部２２３の外側に嵌められたタンク接続部４３を強固に締め付けられる。
【００５７】
また、縮径部４４の外径を、締付部４６１の最小内径よりも小さく構成した。これにより、縮径部４４にピンバンド４６を取り付けている状態でピンバンド４６の締付部４６１に負荷（締付部４６１を開く力）をかけないので、ピンバンド４６を劣化させにくくできる。
【００５８】
また、排水管４０を、タンク接続部４３の先端部に配置したリブ部４５を含んで構成した。これにより、縮径部４４に取り付けたピンバンド４６をタンク接続部４３側に移動させるときに、ピンバンド４６がタンク接続部４３を通り過ぎて立ち上がり部２２３のみを締め付けてしまうことを防げる。よって、ピンバンド４６によるタンク接続部４３の締付の確実性を高められるので、タンク２０と排水管４０との接続の確実性を向上させられる。
【００５９】
また、管本体部４１を、蛇腹構造部を含んで構成した。これにより、排水管４０の配置の自由度を高められる。
【００６０】
以上、本発明の排水管４０及び排水管４０とタンク２０との好ましい一実施形態について説明したが、本発明は、上述した実施形態に制限されるものではなく、適宜変更が可能である。
例えば、本実施形態では、管本体部４１を蛇腹構造部により構成したが、これに限らない。即ち、管本体部を所定の形状に屈曲させた筒状部材により構成し、縮径部をこの筒状の管本体部よりも小径に構成してもよい。
【００６１】
また、本実施形態では、蛇腹構造部を有する排水管４０を合成樹脂により構成したが、これに限らない。即ち、蛇腹構造部を有する排水管を金属により構成してもよい。
【００６２】
また、本実施形態では、締付部材をピンバンド４６により構成したが、これに限らない。即ち、締付部材を、結束バンドやクリップのような種々の締め付け能力を有する他の締付部材により構成してもよい。
【００６３】
また、本実施形態では、手洗い器３０をタンク２０の左側方に配置したが、これに限らない。即ち、手洗い器３０を、タンク２０の右側方に配置してもよい。この場合、排水管４０及び排水管トレー６０、並びに手洗い側給水配管３３は、仕切り板５２Ｒに形成された排水側切り欠き部５２２及び給水側切り欠き部５２３に配置できる。
【００６４】
また、本実施形態では、本発明を、手洗い器３０とタンク２０とを接続する排水管４０に適用したが、これに限らない。即ち、本発明を、タンクに手洗い器からの排水以外の水を導入する導水管に適用してもよい。
【符号の説明】
【００６５】
２０  タンク
２１  タンク本体
２２  蓋部
４０  導水管（排水管）
４１  管本体部
４３  タンク接続部
４４  縮径部
４５  リブ部
４６  ピンバンド（締付部材）
１００  収納部付き便器装置
２２１  蓋本体
２２２  導入口
２２３  立ち上がり部
４６１  締付部
４６２  つまみ部
【図１】
2015190272.tif 000003
【図２】
2015190272.tif 000004
【図３】
2015190272.tif 000005
【図４】
2015190272.tif 000006
【図５】
2015190272.tif 000007
【図６】
2015190272.tif 000008
【図７】
2015190272.tif 000009
【図８】
2015190272.tif 000010
【図９】
2015190272.tif 000011